(57)【要約】【課題】効果が良く、省エネルギー、構造の簡単な照明器具のブラケットを提供すること【解決手段】外ケース、光反射プレート、光反射プレートブラケット、蛍光灯、透明プレート、防水リングを含む。特徴は光反射プレートを５角柱展開図形あるいは固定７角柱展開図形の形状に製作し、本技術案を採用した後、光源を光反射プレート前の特定の位置に置く時、光反射プレートの多面反射を通して、照明器具前方の光量を大幅に向上させる。
2006507634.tif 000002
【特許請求の範囲】
【請求項１】
一種類の照明器具ブラケットであって、光反射プレート（２）、光反射プレート固定ブラケット（３）ケース（１）、蛍光灯（４）、透明プレート（５）、防水リング（６）を含み、前記光反射プレートは多鏡面体から構成され、５角柱の展開図形あるいは７角柱の展開図形の構造を呈し、蛍光灯を光反射プレート前の特定の位置に置く時、蛍光灯のセンター・ラインから発射される光線が前記光反射プレートのある一方の中点へ照射されるとき、照明器具ブラケットの前正面に反射され、入射光がその面の縁に照射される時、反射光は前正面と一つの夾角を形成し、この夾角の内で、前記光反射プレートの反射の光量は１本の蛍光灯の光量に相当し、蛍光灯の真後ろの前記光反射プレートの反射光量はｎ（ｍ＋１／２）Ｌであり、その中で、ｎは光反射プレートの連数で、ｍは光反射プレートの反射面の数であり、Ｌは一本の蛍光灯の光量である、ことを特徴とする照明器具ブラケット。
【請求項２】
請求項１の照明器具のブラケットであって、前記光反射プレート（２）を一連あるいは多連にし、前記光反射プレートを前記固定ブラケット（３）に固定し、前記光反射プレート（２）は光反射プレート前記固定ブラケット（３）を直接前記ケース（１）に固定し、固定と放熱の目的を果たすことを特徴とする照明器具ブラケット。
【請求項３】
請求項１の照明器具のブラケットであって、前記透光板（５）を直接前記ケース（１）に取り付け、両者の間は前記防水リング（６）を介して密封することを特徴とする照明器具ブラケット。
【請求項４】
請求項１の照明器具ブラケットであって、このブラケットを街灯として用いる時、照明器具全体はチューブ状アーム（８）で支えられ、照明器具ブラケットは管のパイプナット（７）を通して前記チューブアーム（８）に連結されることを特徴とする照明器具ブラケット。
【発明の詳細な説明】
【技術分野】
【０００１】
この発明は一種の照明器具ブラケットに関連し、具体的に言うと  照明に使用する照明器具ブラケットに関連する。
【背景技術】
【０００２】
現在の照明器具ブラケットの構造は  基本的に１つのアーチ形の金属プレートの中に蛍光灯を固定し、又は蛍光灯の両側にそれぞれ１つの金属プレートを取り付けるのであり、この技術を使用する製品は  蛍光灯の照明によりある程度光度を高めているが、効果はそれほど高くない。
【発明の開示】
【発明が解決しようとする課題】
【０００３】
この発明の目的は  現在の照明器具ブラケットの照明器具ブラケットの光度の高める効果が著しくないのに対し  効果が良く、省エネルギー、構造の簡単な照明器具のブラケットを提供することである。
【課題を解決するための手段】
【０００４】
上述の目的を達成するために、この発明が光反射プレート２、ケース１、光反射プレートの固定ブラケット３、蛍光灯４、通光プレート５、防水リング６を含むものから成る照明器具のブラケットを提供する。  このブラケットの光反射プレートは多面の鏡でプレートを反射するものから構成し、５角柱の展開図形Ｕ字型を呈し、又は７角柱の展開図形Ｕ字型形状を呈する。
【０００５】
光反射プレート２は単独又は多連にすることができ、光反射プレートのブラケット３に固定する。通光プレート５を直接ケース１に取り付け、通光プレート５とケース１の間に防水リング６で密封する。
【０００６】
街灯として用いる時、全体の照明器具はチューブアーム８より支えられ、照明器具はパイプナット７を通してチューブアーム８と連結する。
【発明の効果】
【０００７】
この発明技術の案を採用することにより、以下の長所がある。：蛍光灯を光反射プレート前の特定の位置に置く時、ランプのセンター・ラインが発生した光線が光反射プレートの中点まで照射する時、照明器具ブラケットの丁度前の方向に反射され、入射光線がその面の縁に当たる時に  反射光と丁度前の方向と一つの夾角を形成され、この夾角の内に、光反射プレートの反射光量は１本の蛍光灯の光量に相当する。蛍光灯の丁度バックの光反射プレートの反射光量は一定の夾角の内に１本の蛍光灯の二分の一の光光量に相当しているため、照明器具のブラケット全体の光量は：ｎ（ｍ＋１／２）Ｌである（その中にｎは光反射プレートの連数で、ｍは光反射プレートの反射面数で、Ｌは一本の蛍光灯の光量である）。
【発明を実施するための最良の形態】
【０００８】
図１に示したような照明器具ブラケットの常規の構造で、このブラケットはケース１があってこのケースの内に二本の光反射プレート固定ブラケット３、３'があり、５つの光反射プレート又は７つの光反射プレート２は光反射プレートの固定ブラケット３、３'に並べて固定し、通光板５とケース１の間に防水リング６で密封する。ランプ４の両端の蛍光灯ソケットがしっかり光反射プレート２を押さえ、且つブラケットに固定することによって、蛍光灯ランプ４と光反射プレート２の間の相対的な位置を保証する。
【０００９】
この発明のもう一つの実施例としては、この発明を街灯として用いる時、ケース１の片端に口部をあけ、アーム８で照明器具ブラケット全体を支えて  照明器具のブラケットは、パイプナット７を通しチューブアーム８と連結する。
図２に示したようにに蛍光灯チューブセンター・ラインから発生した入射光線が光反射プレートのある面の中点に照射する時、照明器具ブラケットの丁度前に反射され、この入射光がこの面の端に照射する時、反射光と丁度前と一つの夾角を形成し、この夾角の内に、光反射プレートの反射光量は１本の蛍光灯の光量に相当し、蛍光灯の丁度バックの光反射プレートの光通度は一定の夾角の内に１本の蛍光灯の二分の一の光量に相当しているため、全体の照明器具ブラケットの光度は：ｎ（ｍ＋１／２）Ｌとなり、
その中、ｎは光反射プレートの連数  
ｍは光反射プレートの面数
Ｌは一本の蛍光灯の光量
【００１０】
また光反射プレートが光反射プレートのブラケットを通して直接にブラケットに固定するため、固定と放熱の目的を達する。蛍光灯のランプソケットはしっかり光反射プレートを押さえ、ブラケットに固定する。蛍光灯ランプと光反射プレートの間の相対的位置を保証する。
【図面の簡単な説明】
【００１１】
【図１】本発明の照明器具ブラケットの説明図である
【図２】光反射プレートの原理図である
【図３】５つの面の光反射プレートの構造説明図である
【図４】図４は  ７つの面の光反射プレートの構造説明図である
【図５】街灯とする時の説明図である
【符号の説明】
【００１２】
１  ケース
３、３'  光反射プレート固定ブラケット
２  光反射プレート
５  通光板
６  防水リング
４  ランプ
【図１】
2006507634.tif 000003
【図２】
2006507634.tif 000004
【図３】
2006507634.tif 000005
【図４】
2006507634.tif 000006
【図５】
2006507634.tif 000007
【国際調査報告】
2006507634.tif 000008
2006507634.tif 000009
2006507634.tif 000010
2006507634.tif 000011